(57)【要約】【課題】  装着者の顔から外す際に、目の周りや眼球への違和感を解消することができるスイミングゴーグルを提供する。【解決手段】  スイミングゴーグル１は、一対のレンズ１０と、レンズ１０の周囲に取り付けられたガスケット２０と、レンズ１０の横方向Ｘ内側を互いに連結するノーズブリッジ３０と、レンズ１０の横方向Ｘ外側を互いに連結するヘッドストラップ４０とを含む。ガスケット２０は、前方向Ｆに位置する第１部材２１と、後方向Ｒに位置する第２部材２２とを含み、第１部材２１には、フレーム部１２に連結されるレンズ連結部２３が形成され、第２部材２２には、レンズ連結部２１の後端縁から周方向外側に延出する延出部２４が形成される。延出部２４の外側部位２８には、レンズ連結部２３と延出部２４との間に連なるリブ５０を形成するとともに、その後方向Ｒの端部において、前方向Ｆに向かって反り返る反返り部５１を形成している。【選択図】図２
2010131326.tif 000002
【特許請求の範囲】
【請求項１】
横方向に並んで連結された一対のレンズと、前記レンズの周囲に取り付けられたガスケットと、前記レンズの前記横方向外側を互いに連結するヘッドストラップとを含み、
前記レンズおよびガスケットは、前記横方向に直交する前後方向を有し、
前記レンズは、前記前方向に位置するレンズ面と、前記レンズ面の周縁から前記後方向に延出するフレーム部とを含み、
前記ガスケットは、前記フレーム部に連結される環状のレンズ連結部と、前記レンズ連結部の後端縁から周方向外側に延出する延出部とを含み、前記ガスケットは、弾性変形可能であるスイミングゴーグルにおいて、
前記ガスケットには、前記レンズ連結部と前記延出部との間に連なって、前記前後方向に延びるリブが形成されることを特徴とする前記スイミングゴーグル。
【請求項２】
前記レンズは、前記横方向外側に前記ヘッドストラップを連結可能なヘッドストラップ取付手段が形成され、
前記リブは、前記ガスケットの前記横方向外側において、前記ヘッドストラップ取付手段に連なって形成される請求項１記載のスイミングゴーグル。
【請求項３】
前記ガスケットは、前記レンズ連結部が形成される第１部材と、前記延出部が形成される第２部材とを含み、前記第１部材よりも第２部材のほうが低い硬度の弾性材料で形成される請求項１または２に記載のスイミングゴーグル。
【請求項４】
前記レンズのフレーム部は、前記レンズ面の周縁を前記後方向に延びる周壁と、前記周壁の後端縁から周方向外側に向かって延出するフランジとを含み、
前記レンズ面と前記周壁と前記フランジとによって前記レンズの外周に向かって開口する環状の凹条が形成され、前記ガスケットの前記レンズ連結部は、前記凹条に嵌合可能に形成される請求項１〜３のいずれかに記載のスイミングゴーグル。
【発明の詳細な説明】
【技術分野】
【０００１】
この発明は、遊泳や競泳などの際に装着者がその顔面に装着するスイミングゴーグルに関する。
【背景技術】
【０００２】
従来、スイミングゴーグルとして、例えば、特開２００１−３７９１２号公報（特許文献１）が公知である。この特許文献１では、一対のレンズと、レンズの周囲に取り付けられたガスケットと、レンズの内側を互いに連結するブリッジと、各レンズの外側を互いに連結するヘッドストラップとを含み、ガスケットが軟質樹脂から形成されている。ガスケットは、レンズを保持するレンズ保持部と、保持部から延びるガスケットスカートとを含む。ガスケットスカートが、軟質樹脂から形成されることによって、このガスケットスカートが装着者の顔面に密着するようにして、ゴーグル内に水が入らないようにしている。
【特許文献１】特開２００１−３７９１２号公報
【発明の開示】
【発明が解決しようとする課題】
【０００３】
ガスケットスカートに硬度の低い樹脂を用いることによって、このガスケットスカートが装着者の顔に水密に接触させることができるが、ゴーグルを顔から外そうとした場合に、装着者の顔面に吸引力が作用する。この吸引力によって、目の周りにガスケットスカートが食い込んだり、眼球がレンズ内へと引っ張られたりするような違和感を生じさせるという問題があった。
【０００４】
この発明では、装着者の顔から外す際に、目の周りや眼球への違和感を解消することができるスイミングゴーグルを提供することを課題とする。
【課題を解決するための手段】
【０００５】
この発明は、横方向に並んで連結された一対のレンズと、前記レンズの周囲に取り付けられたガスケットと、前記レンズの前記横方向外側を互いに連結するヘッドストラップとを含み、前記レンズおよびガスケットは、前記横方向に直交する前後方向を有し、前記レンズは、前記前方向に位置するレンズ面と、前記レンズ面の周縁から前記後方向に延出するフレーム部とを含み、前記ガスケットは、前記フレーム部に連結される環状のレンズ連結部と、前記レンズ連結部の後端縁から周方向外側に延出する延出部とを含み、前記ガスケットは、弾性変形可能であるスイミングゴーグルの改良に関わる。
【０００６】
この発明は前記スイミングゴーグルにおいて、前記ガスケットには、前記レンズ連結部と前記延出部との間に連なって、前記前後方向に延びるリブが形成されることを特徴とする。
【０００７】
好ましい実施態様のひとつとして、前記レンズは、前記横方向外側に前記ヘッドストラップを連結可能なヘッドストラップ取付手段が形成され、前記リブは、前記ガスケットの前記横方向外側において、前記ヘッドストラップ取付手段に連なって形成される。前記リブと前記ヘッドストラップ取付手段とは、直接接触して連なってもよいし、ガスケットを介して接触して連なってもよいし、リブおよびガスケットとは離間して連なってもよい。
【０００８】
好ましい他の実施態様のひとつとして、前記ガスケットは、前記レンズ連結部が形成される第１部材と、前記延出部が形成される第２部材とを含み、前記第１部材よりも第２部材のほうが低い硬度の弾性材料で形成される。
【０００９】
好ましい他の実施態様のひとつとして、前記レンズのフレーム部は、前記レンズ面の周縁を前記後方向に延びる周壁と、前記周壁の後端縁から周方向外側に向かって延出するフランジとを含み、前記レンズ面と前記周壁と前記フランジとによって前記レンズの外周に向かって開口する環状の凹条が形成され、前記ガスケットの前記レンズ連結部は、前記凹条に嵌合可能に形成される。
【発明の効果】
【００１０】
レンズに取り付けられたガスケットは、レンズのフレーム部に連結するレンズ連結部と、レンズ連結部から周方向外側へと延びる延出部とを含み、レンズ連結部と延出部との間には、これらの間に連なるリブを形成することとした。したがって、装着状態のスイミングゴーグルを外そうとした場合に、レンズまたはガスケットを引っ張ると、レンズ連結部が引っ張られ、リブを介してこれに追従して延出部も引っ張られる。したがって、装着者の顔面に大きな吸引力が作用する前に、ガスケットが装着者の顔面から外れ、ガスケットに接触する目の周りや眼球に違和感が生じるのを抑制することができる。
【発明を実施するための最良の形態】
【００１１】
この発明のスイミングゴーグルの一例を説明する。
【００１２】
図１は、この発明のスイミングゴーグル１の全体斜視図であり、図２は、図１のスイミングゴーグル１の平面図である。スイミングゴーグル１は、アイカップ型に形成された一対のレンズ１０と、レンズ１０の周囲に取り付けられたガスケット２０と、レンズ１０の横方向Ｘ内側を互いに連結するノーズブリッジ３０と、レンズ１０の横方向Ｘ外側を互いに連結するヘッドストラップ４０とを含む。レンズ１０の並んだ方向を横方向Ｘとして、これに直交する方向を前後方向Ｆ，Ｒとする。
【００１３】
レンズ１０は、透明の硬質材料から形成され、硬質材料としては、例えば、アクリル、ポリカーボネートなどのプラスチック材料を用いることができる。このようなレンズ１０は、横方向Ｘにノーズブリッジ３０を介して並んで形成され、前方向Ｆに位置するレンズ面１１と、レンズ面１１の周縁から後方向Ｒに延出するフレーム部１２とを含む。
【００１４】
レンズ１０の横方向Ｘ内側には、ノーズブリッジ３０を取り付けるためのノーズブリッジ取付手段１３を形成している。ノーズブリッジ取付手段１３は、レンズ面１１からその横方向Ｘ内側に向かって突出し、突出した部分に孔１５が形成されている。ノーズブリッジ３０には、孔１５に挿入可能な、突起部３１が形成され、突起部３１を孔１５に挿入することによってノーズブリッジ３０をレンズ１０に固定することができる。
【００１５】
レンズ１０の横方向Ｘ外側には、ヘッドストラップ４０を取り付けるためのヘッドストラップ取付手段１４を形成している。ヘッドストラップ取付手段１４は、レンズ面１１から横方向Ｘ外側に突出し、その突出した部分に孔１６が形成されている。ヘッドストラップ４０は、その両端４１をそれぞれ孔１６に挿入し、さらにその両端４１をヘッドストラップ４０に形成されたバックル４２に挿入することによって、ヘッドストラップ４０をレンズ１０に固定することができる。ヘッドストラップ４０は、比較的軟質のエラストマー材料から形成され、この弾性力によってスイミングゴーグルの装着状態を維持できるようにしている。
【００１６】
図３はレンズ１０およびガスケット２０の分解組み立て図であって、図４は図３のＩＶ−ＩＶ線断面図、図５は図３のＶ−Ｖ線断面図である。図示したように、レンズ１０のフレーム部１２は、レンズ面１１の周囲において後方向Ｒに延びる周壁１７と、周壁１７の後端縁においてその周方向外側に延出するフランジ１８とを含む。このようなレンズ１０では、レンズ面１１と周壁１７とフランジ１８とによって、凹条１９が形成される。すなわち、周壁１７が他の部分よりも周方向内側に位置することによって、レンズ１０の周囲に環状の凹条１９が形成される。
【００１７】
ガスケット２０は、前方向Ｆに位置する第１部材２１と、後方向Ｒに位置する第２部材２２とを含み、第１部材２１には、フレーム部１２に連結されるレンズ連結部２３が形成され、第２部材２２には、レンズ連結部２３の後端縁から周方向外側に延出する延出部２４が形成される。より厳密に言えば、レンズ連結部２３は、第１部材２１および第２部材２２の両者によって一体成形され、第２部材２２に位置するレンズ連結部２３の後端縁から延出部２４が形成される。
第１および第２部材２１，２２としては、軟質かつ弾性材を用いることができ、例えばオレフィン系、スチレン系、ウレタン系、天然又は合成ゴム系などの、好ましくは熱可塑性のエラストマー素材から形成される。このような第１部材２１は、その硬度を約７０度とし、第２部材２２は約２５度としている。したがって、第１部材２１に形成されたレンズ連結部２３よりも、第２部材２２に形成された延出部２４のほうがその硬度を低くすることができる。なお、硬度はＪＩＳ  Ｋ６２４９に基づいて測定した。
【００１８】
上記のようにガスケット２０は、硬度の異なる第１および第２部材２１，２２によって形成されているので、第１部材２１と第２部材２２との間には、境界２５が形成される。境界２５においては、第１部材２１と第２部材２２との接触面積が大きくなるように、内周側から外周側に向かうにつれて、前方向Ｆに傾斜させるようにすることが好ましい。
上記のような第１部材２１と第２部材２２との境界２５には、ガスケット２０の内周縁に開口し周方向外側に向かう環状凹部２６が形成される。
【００１９】
ガスケット２０の延出部２４は、横方向Ｘ内側に位置する内側部位２７と、外側に位置する外側部位２８と、これら内外側部位２７，２８の間に位置するとともに、ガスケット２０の横方向Ｘの長さ寸法を二等分する中心線近傍に位置する中央部位２９とを含む。外側部位２８には、レンズ連結部２３と延出部２４との間に連なるリブ５０を形成している。リブ５０は、第２部材２２によって延出部２４に一体的に形成され、前後方向Ｆ，Ｒに延びている。このようなリブ５０の前後方向Ｆ，Ｒの寸法ｔ１を約５ｍｍ、これに直交する方向すなわち周方向の寸法ｔ２を約４ｍｍとしている。すなわち、リブ５０は、ガスケット２０の外周の一部において形成されるものであって、その全周に亘って形成されるものではない。また、リブ５０は、ヘッドストラップ４０が取り付けられるヘッドストラップ取付手段１４と、横方向Ｘに連なって形成されている。ここで、連なるとは、リブ５０とヘッドストラップ取付手段１４とが、離間する場合と、互いに直接接触する場合とを含む。すなわち、図２において、リブ５０とヘッドストラップ取付手段１４とは、離間して形成されているが、これらが直接接触して形成されていてもよい。
【００２０】
外側部位２８は、内側部位２７よりも前後方向Ｆ，Ｒの長さ寸法が大きくなるようにしている。また、延出部２４の後方向Ｒにおいて、内側部位２７と、外側部位２８とは、中央部位２９よりも後方向Ｒに位置するようにしている。したがって、延出部２４は、内側部位２７から中央部位２９を介して外側部位２８に向かって湾曲した形状を有する。このように湾曲した形状にすることによって、延出部２４が装着者の顔の凹凸に対して密着可能としている。さらに、延出部２４がその硬度を低くされているので、より一層その周方向の全域に亘って装着者の顔面に密着可能とすることができる。
外側部位２８には、その後方向Ｒの端部において、前方向Ｆに向かって反り返る反返り部５１を形成している。この反返り部５１は、少なくともその一部が横方向Ｘにおいてリブ５０と一致する位置に形成される。
【００２１】
ガスケット２０のレンズ連結部２３は、図３および４で示したレンズ１０の凹条１９に弾性的に密着する状態で嵌合可能であって、さらに、ガスケット２０の環状凹部２６にレンズ１０のフランジ１８が弾性的に密着する状態で嵌合可能とされている。これら凹条１９とレンズ連結部２３の外周とが接触し、環状凹部２６の内周にフランジ１８の外周が接触することによって、ガスケット２０がレンズ１０から脱落しないように連結される。
レンズ連結部２３は、その硬度を高くしているので、一度レンズ１０と嵌合させると、容易にはこの嵌合を解き難く、例えばスイミングゴーグル１の着脱によっては、レンズ１０からガスケット２０が脱落するのを防止することができる。一方、延出部２４は、その硬度を低くしているので、スイミングゴーグル１の装着時に、装着者の顔面に密着しやすく、水密に維持することができる。したがって、延出部２４と顔面との間から水が浸入するのを防止することができる。
【００２２】
スイミングゴーグルを装着する際には、ヘッドストラップ４０を装着者の頭部にまわし、ヘッドストラップ４０に収縮力が作用する状態で、すなわちヘッドストラップ４０を伸長させて装着する。ヘッドストラップ４０に収縮力が作用することによって、レンズ１０が顔面側に押し付けられ、ガスケット２０が顔面に密着する。このとき、ガスケット２０に形成された反返り部５１も顔面に押し付けられて、顔面との接触面積を大きくする。特に反返り部５１は、ヘッドストラップ４０と重なる位置に形成されているので、ヘッドストラップ４０の伸縮力によって、より一層顔面に押し付けられる。ガスケット２０と顔面との接触面積を大きくすることができるので、より水密の状態を維持することができ、ゴーグル内に水が浸入するのを防止することができる。
【００２３】
上記のような装着状態から、スイミングゴーグル１を外す場合には、通常、ヘッドストラップ４０とレンズ１０との取付部分、すなわち、レンズ１０の横方向Ｘ外側をもって、これを前方向Ｆに引っ張るようにする。ガスケット２０が水密に装着者の顔面と接触している状態から、レンズ１０を前方向Ｆに引っ張ると、レンズ１０内が陰圧になるが、レンズ１０の外側に、レンズ連結部２３と延出部２４との間に連なるリブ５０が形成されているので、リブ５０を介して延出部２４もレンズ１０の引っ張りに追従して引っ張られ、レンズ１０内が極端に陰圧になる前に、延出部２４が装着者の顔面から離間する。したがって、レンズ１０内が陰圧になることによって生じる、目の周りにガスケット２０が食い込んだり、眼球が引っ張られたりするような違和感を生じることがない。これに対して、リブ５０が形成されていない場合には、ガスケット２０が弾性変形可能であり、特に延出部２４の硬度を低くしていることから、レンズ連結部２３から延出部２４が離間するように前後方向Ｆ，Ｒに撓み、ガスケット２０の引っ張り方向の力が分散してしまいガスケット２０が装着者の顔面から容易には離間せず、レンズ内は陰圧となって、肌との接触部分や眼球が引っ張られるような違和感が生じる。
【００２４】
また、この発明では、リブ５０をガスケット２０の横方向Ｘ外側に形成することとしたので、レンズ１０の横方向Ｘ外側に対する引張力をより直接的にリブ５０を介して延出部２４に作用させることができる。したがって、より一層レンズ１０内が陰圧になる以前に、これを顔面から離間させることができる。
【００２５】
この実施形態におけるリブ５０の寸法は、例示したものに限ったものではないが、少なくともレンズ連結部２３に追従して延出部２４が装着者の顔面から離間可能な程度であることが必要である。リブ５０の周方向の寸法を約４ｍｍとしているが、２ｍｍ〜１５ｍｍの範囲にあることが好ましい。この範囲にすることによって、レンズ１０の引張力を延出部２４に伝達しやすく、かつ、延出部２４の柔軟性を維持することができる。また、リブ５０は、装着時において、ヘッドストラップ４０によって押圧されることを考慮すると、このヘッドストラップ４０よりも周方向の寸法が小さい方が望ましい。リブ５０全体がヘッドストラップ４０によって押し付け可能となり、リブ５０に対する押圧を周方向においてほぼ均等にすることができるからである。この実施形態においては、リブ５０と重なる部分のヘッドストラップ４０の幅方向の寸法は、約１０ｍｍとしている。したがって、この実施形態では、リブ５０の周方向の寸法は、少なくとも１０ｍｍよりも小さくすることが望ましい。
【００２６】
レンズ連結部２３と延出部２４との硬度は、適宜設定可能なものであって、この実施形態の数値に限定されるものではない。すなわち、ゴーグルの装着時に、ガスケット２０からレンズ１０が脱落することなく、かつ、ガスケット２０と装着者の顔面とを水密に維持できる程度であればよい。レンズ連結部２３と延出部２４とは、異なる弾性材料を使用することなく、同じ弾性材料とすることもできる。
ノーズブリッジ３０およびヘッドストラップ４０については、適宜、慣用の技術を用いることができる。
【図面の簡単な説明】
【００２７】
【図１】スイミングゴーグルの斜視図。
【図２】図１の平面概略図。
【図３】レンズとガスケットの分解組み立て図。
【図４】図３のＶＩ−ＶＩ線断面図。
【図５】図３のＶ−Ｖ線断面図。
【符号の説明】
【００２８】
１  スイミングゴーグル
１０  レンズ
１１  レンズ面
１２  フレーム部
１４  ヘッドストラップ取付手段
１７  周壁
１８  フランジ
１９  凹条
２０  ガスケット
２３  レンズ連結部
２４  延出部
２７  内側部位
２８  外側部位
２９  中央部位
４０  ヘッドストラップ
５０  リブ
【図１】
2010131326.tif 000003
【図２】
2010131326.tif 000004
【図３】
2010131326.tif 000005
【図４】
2010131326.tif 000006
【図５】
2010131326.tif 000007